(57)【要約】【課題】  上下２段に熱交換器が配置されており、上側の熱交換器から発生するドレンの処理において、上側ドレンパンに溜まるドレンを速やかに流すことができ、空気中に含まれる塵埃が堆積してドレンが流れ難くなることもなく、メンテナンス性に優れた熱交換ユニット及びその熱交換ユニットを備えた空気調和装置を提供する。【解決手段】  上側熱交換器の上部が空気流入側に近づくようにして傾斜配置されており、上側熱交換器と前記下側熱交換器とが上側ドレンパンを介して連結されており、下側熱交換器の下端に下側ドレンパンが設けられており、上側ドレンパンは空気流入側にスリット又は開口が設けられた上板とその下方に且つ横方向に配置されたドレン案内部材とから構成されており、上板で集めたドレンをスリット又は開口によりドレン案内部材へ流し、さらに下側熱交換器の側面に導くように構成された熱交換ユニット。【選択図】  図７
2008111616.tif 000002
【特許請求の範囲】
【請求項１】
上側熱交換器と下側熱交換器とが連結されると共に上側熱交換器の上部が空気流入側に近づくようにして傾斜配置された熱交換ユニットであって、前記上側熱交換器と前記下側熱交換器とは上側ドレンパンを介して連結されており、下側熱交換器の下端には下側ドレンパンが設けられており、前記上側ドレンパンは空気流入側にスリットまたは開口が設けられた上板と該スリットまたは該開口の下方に配置され且つ横方向に配置されたドレン案内部材とから構成されており、前記上板は前記上側熱交換器で発生したドレンを集めると共に、集めたドレンを前記スリットまたは前記開口により前記ドレン案内部材へ流すように設けられており、前記ドレン案内部材は流れてきたドレンを受け止めると共に、受け止めたドレンを前記下側熱交換器の側面に導くように設けられていることを特徴とする熱交換ユニット。
【請求項２】
前記ドレン案内部材が、板状であり且つ横方向に傾斜して配置されていることを特徴とする請求項１に記載の熱交換ユニット。
【請求項３】
前記上側熱交換器および前記下側熱交換器が前後２列に設けられていることを特徴とする請求項１または２に記載の熱交換ユニット。
【請求項４】
前記上側熱交換器および前記下側熱交換器の１つ以上又は全部が冷房用の熱交換器であり、前記冷房用の熱交換器の下に配置される上側ドレンパンおよび／または下側ドレンパンに、ドレンの流れを止めるための仕切り壁が設けられており、該仕切り壁は前記冷房用の熱交換器の空気流出側に配置されていることを特徴とする請求項１〜３の何れかに記載の熱交換ユニット。
【請求項５】
請求項１〜４に記載の熱交換ユニットを備えたことを特徴とする空気調和装置。
【発明の詳細な説明】
【技術分野】
【０００１】
本発明は、空気調和装置に用いられる熱交換ユニットに関し、特に上下２段に熱交換器が配置されており、上側の熱交換器から発生するドレンの処理に優れた構造を有する熱交換ユニット及びその熱交換ユニットを備えた空気調和装置に関する。
【背景技術】
【０００２】
従来より、室内の空気調和を行なうため熱交換器を備えた空気調和装置が用いられているが、例えば部屋の壁などに設置する場合、横幅を十分に確保できないことがあり、このような場合には、上下２段に熱交換器が配置された空気調和装置が用いられている。しかし、上下２段に熱交換器が配置されると、上側の熱交換器は冷房時に吸込まれた空気に含まれる水分が凝縮して、ドレンとなって、上側の熱交換器のフィンに沿って上から下へと流れ、更にこのドレンは下側の熱交換器のフィンに沿って上から下へと流れる。そのため特に下側のフィンでは、下側の熱交換器で発生したドレンと重なり合い、吸込み空気がフィンに接触する面積が少なくなり、熱交換が妨げられたり、過剰のドレンが吸込み空気によって吹き飛ばされたりするという問題があった。
【０００３】
このような、問題を解決する技術として、例えば特許文献１の空気調和装置が知られている。この空気調和装置は、図１１に示すように、空気流通空間に傾斜配置された熱交換器２１０が設けられ、該熱交換器２１０は、最下端に位置する下側熱交換器２１８と、該下側熱交換器２１８の上側に連結された少なくとも１つの上側熱交換器２１７とによって構成されていて、前記下側熱交換器２１８の下端部には下側ドレンパン２１２が配設されていると共に、前記上側熱交換器２１７の下端部には上側ドレンパン２１９が配設されており、前記上側ドレンパン２１９の端部と前記下側ドレンパン２１２との間には、前記上側熱交換器２１９で発生し前記上側ドレンパン２１９に回収されたドレンを下側ドレンパン２１２に案内する案内部材２２０が、熱交換器２１０の延長方向に沿って配設されていることを特徴とする空気調和装置である。
【０００４】
しかし、この空気調和装置にあっては、空気を下方から上方へ流す特殊な場合に適した構造となっている。したがって、空気を横から流す一般的な空気調和装置にこの構造を適用した場合、水平に設けられた上側ドレンパン２１９の両側に案内部材２２０が配置されているため、上側ドレンパン２１９に溜まったドレンが案内部材２２０まで流れていくのに時間がかかり、上側ドレンパン２１９に溜まったドレンが吸込み空気によって吹き飛ばされるという問題があった。また、吸込まれた空気に含まれる塵埃がドレンによって流され上側ドレンパン２１９に堆積して、両側の切り欠き部を塞ぎ、案内部材２２０へドレンが流れ難くなるという問題があった。そして、これらの問題は、熱交換器の幅が広くなるほど顕著になる傾向があった。また、案内部材２２０が空気の流入側に配置されているため、見栄えが悪くなるという問題があった。また例えばこの熱交換器の前に塵埃除去用のフィルタなど他の部品を配置しようとすると、飛び出た案内部材２２０が邪魔になるという問題があった。
【０００５】
【特許文献１】特開平５−１８７６５１号公報
【発明の開示】
【発明が解決しようとする課題】
【０００６】
本発明は、上記問題を解決して、空気調和装置に用いられる熱交換ユニットに関し、特に上下２段に熱交換器が配置されており、上側の熱交換器から発生するドレンの処理において、上側ドレンパンに溜まるドレンを速やかに流すことができ、空気中に含まれる塵埃が堆積してドレンが流れ難くなることもなく、メンテナンス性に優れた熱交換ユニット及びその熱交換ユニットを備えた空気調和装置を提供することを課題とする。
【課題を解決するための手段】
【０００７】
上記課題を解決するための手段は、請求項１に係る発明では、図１〜図１０に例示するように、上側熱交換器２１と下側熱交換器２２とが連結されると共に上側熱交換器の上部が空気流入側に近づくようにして傾斜配置された熱交換ユニット１０であって、前記上側熱交換器２１と前記下側熱交換器２２とは上側ドレンパン３０を介して連結されており、下側熱交換器２２の下端には下側ドレンパン４０が設けられており、前記上側ドレンパン３０は空気流入側にスリット３４または開口３４’が設けられた上板３１と該スリット３４または該開口３４’の下方に配置され且つ横方向に配置されたドレン案内部材３３とから構成されており、前記上板３１は前記上側熱交換器２１で発生したドレンを集めると共に、集めたドレンを前記スリット３４または前記開口３４’により前記ドレン案内部材３３へ流すように設けられており、前記ドレン案内部材３３は流れてきたドレンを受け止めると共に、受け止めたドレンを前記下側熱交換器の側面２２ａに導くように設けられていることを特徴とする熱交換ユニット１０である。請求項１に係る発明により、上側ドレンパン３０に溜まるドレンを速やかに流すことができ、空気中に含まれる塵埃が堆積してドレンが流れ難くなることもなく、メンテナンス性に優れた熱交換ユニットを提供することが可能となる。
【０００８】
請求項２に係る発明では、前記ドレン案内部材３３が、板状であり且つ横方向に傾斜して配置されていることを特徴とする請求項１に記載の熱交換ユニットであり、ドレン案内部材３３によって受け止めたドレンをシンプルな構造により下側熱交換器の側面２２ａに速やかに導くことが可能になるという利点がある。
【０００９】
請求項３に係る発明では、図４に例示するように上側熱交換器２１、２１’および下側熱交換器２２、２２’が前後２列に設けられていることを特徴とする請求項１または２に記載の熱交換ユニットである。請求項３に係る発明により、熱交換器の能力を大きく向上させることができる。さらにドレンの量が大きく増加してもドレンを速やかに排出することができるという利点がある。また、例えば前の熱交換器（空気流入側の熱交換器）２１、２２を冷房用として用い、後ろの熱交換器（空気流出側の熱交換器）２１’、２２’を暖房用として用いることにより、冷暖の切り替えを素早く行なうことができるという利点がある。また、例えば前の熱交換器２１、２２を冷房用として用い、それと同時に後ろの熱交換器２１’、２２’を暖房用として用いることにより、前の熱交換器２１、２２により室内の空気を一旦冷却して除湿した後に、後ろの熱交換器２１’、２２’によって元の室温に回復させるという機能をもたせることができる。このように、除湿機として用いることが可能になるという利点がある。
【００１０】
請求項４に係る発明では、図５、および図７〜図１０に例示するように前記上側熱交換器２１、２１’および前記下側熱交換器２２、２２’の１つ以上又は全部が冷房用の熱交換器であり、前記冷房用の熱交換器の下に配置される上側ドレンパン３０および／または下側ドレンパン４０に、ドレンの流れを止めるための仕切り壁３７、３８が設けられており、該仕切り壁３７、３８は前記冷房用の熱交換器の空気流出側に配置されていることを特徴とする請求項１〜３の何れかに記載の熱交換ユニットである。仕切り壁３７、３８が設けられることによって、冷房用の熱交換器から発生したドレンがドレンパン上に溜まった後に吸込み空気によって冷房用の熱交換器の後ろ側に吹き飛ばされることを防止することができる。
【００１１】
請求項５に係る発明では、図１〜図３に例示するように、請求項１〜４に記載の熱交換ユニット１０を備えたことを特徴とする空気調和装置１３である。
【発明の効果】
【００１２】
本発明によって、空気調和装置に用いられる熱交換ユニットに関し、特に上下２段に熱交換器が配置されており、上側の熱交換器から発生するドレンの処理において、上側ドレンパンに溜まるドレンを速やかに流すことができ、空気中に含まれる塵埃が堆積してドレンが流れ難くなることもなく、メンテナンス性に優れた熱交換ユニット及びその熱交換ユニットを備えた空気調和装置を提供することが可能となった。
【発明を実施するための最良の形態】
【００１３】
以下、本発明に係る熱交換ユニットの好ましい実施の形態について詳細に説明する。
【００１４】
本発明の熱交換ユニットは、室内の空気調和を行なうための熱交換器を具備した熱交換ユニットであり、例えば室内に据え置きされる空気調和装置内部に備えられたり、または部屋の壁などに組み込まれた空気調和装置内部に備えられたり、あるいは例えば部屋の壁などに熱交換ユニットとして単独に組み込まれて使用されるが、特に室内で横幅を十分に確保できない場合に好適に使用される。
【００１５】
本発明の熱交換ユニットは、図１および図２に示す例では、部屋の壁に組み込まれて使用される空気調和装置１３の箱型の本体ケース１１の中に、送風機１２と、本発明の熱交換ユニット１０と、底部ドレンパン１４が備えられており、図中の空気の流れ方向を示す矢印の方向に空気を給気する構造となっている。給気した空気は熱交換ユニット１０にて冷房または暖房されて上部の送風機１２によって室内に送られ、室内の空調が行なわれるようになっている。本体ケース１１には空気の流入側に吸込みグリル１７が開閉可能に備えられており、必要に応じて除塵用のフィルタが組み込まれるようになっている。また、必要に応じて熱交換ユニット１０の空気の流入側にも除塵用のフィルタを設けることが可能な構造となっている。
【００１６】
また、図３に示す例では、部屋の壁１０１に組み込まれて使用される箱型の本体ケース１１の中に、本発明の熱交換ユニット１０が備えられており、室内の天井に設置された送風機１０４によって、図中の空気の流れ方向を示す矢印の方向に空気を給気する構造となっている。給気された空気は熱交換ユニット１０にて冷房または暖房されて、上部のダクト１０２に送られ、さらに送風機１０４の後に設置されたフィルタ１０３を経由して室内に送られ、室内の空調が行なわれるようになっている。本体ケース１１には空気の流入側に吸込みグリルが開閉可能に備えられており、必要に応じて除塵用のフィルタが組み込まれるようになっている。また、必要に応じて熱交換ユニット１０の空気の流入側にも除塵用のフィルタを設けることが可能な構造となっている。
【００１７】
前記熱交換ユニット１０には、温水または冷水を通すチューブとフィンとからなるコイルを必要に応じて複数列具備した熱交換器が設けられており、チューブに温水または冷水を通すことによって、暖房または冷房のどちらかを任意に選択して行なうことができるようになっている。また、冷房によって熱交換ユニット１０には空気中の水蒸気が凝縮して水滴となり、水滴が集まりドレンが発生する。この熱交換ユニット１０から発生したドレンは、図１および図２に示す例では、ドレン配管１５によって底部ドレンパン１４に導かれ、底部ドレンパン１４に溜まったドレンはドレン排出孔１６から外へ排出される構造となっている。
【００１８】
前記熱交換ユニット１０は、図４、および図７〜図１０に例示するように、上側熱交換器２１と下側熱交換器２２とが連結されると共に上側熱交換器の上部が空気流入側に近づくようにして傾斜配置されており、上側熱交換器２１と下側熱交換器２２とは上側ドレンパン３０を介して連結されている。また、下側熱交換器２２の下端には下側ドレンパン４０が設けられている。また、前記上側ドレンパン３０は空気流入側にスリット３４または開口３４’が設けられた上板３１と該スリット３４または開口３４’の下方に配置され且つ横方向に配置されたドレン案内部材３３とから構成されている。また、上板３１は上側熱交換器２１で発生したドレンを集めると共に、集めたドレンをスリット３４または開口３４’によりドレン案内部材３３へ流すように設けられており、ドレン案内部材３３は流れてきたドレンを受け止めると共に、受け止めたドレンを下側熱交換器の側面２２ａに導くように設けられている。なお、図４〜図９では、この側面２２ａは熱交換器２２の両端に設けられている、管板などと称される側板となっている。
【００１９】
また、下側熱交換器２２の下端には下側ドレンパン４０が設けられているが、本発明では、下側ドレンパン４０としては、下側熱交換器２２の下端に配置され、下側熱交換器２２から流れてくるドレンを受け止めることができる限りその形態は特に限定されない。例えば、図５の例では、下側ドレンパン４０の上に、下側ドレンパン４０の構成部材としての上板４１が設けられている。この上板４１は長尺の板金の幅方向の両端４１ａを下方に断面コの字形状となるようにして折り曲げられて形成されている。また、下側ドレンパン４０には、ドレン排出口４２が設けられており、下側熱交換器２２から発生するドレンと、上側熱交換器２２’から発生して、下側熱交換器の側面２２ａから流れてくるドレンとを、下側ドレンパン４０で受け止め、受け止めたドレンをドレン排出口４２から外部へ排出する構造となっている。なお、図５の例では、前述の上板４１と同様の部材が熱交換ユニット１０の上部と両側部にも設けられており、上板４１と連結することによって、熱交換ユニット１０の全体の形状を保つフレームとなっている。
【００２０】
本発明では、上側熱交換器の上部が空気流入側に近づくようにして傾斜配置されている。この傾斜の角度は特に限定されないが垂直に対して１０度〜５０度が望ましい。傾斜の角度が１０度未満では、上側ドレンパン３０および下側ドレンパン４０において、空気流入側にドレンが流れ難くなる場合がある。また、傾斜の角度が５０度を超えると、処理風量を十分に確保できなかったり、熱交換ユニットの奥行き寸法が大きくなってしまい設置が困難になる場合がある。
【００２１】
また、本発明では、上側ドレンパン３０は空気流入側にスリット３４または開口３４’が設けられた上板３１と該スリット３４または該開口３４’の下方に配置され且つ横方向に配置されたドレン案内部材３３とから構成されている。前記スリット３４の形態としては上板３１の空気流入側に幅方向に設けられた間隙であり、その間隙を通してドレンが下方に流れ落ちる機能を有する限り特に限定されない。図４、図７および図８に例示するスリットの具体例では、上板３１の空気流入側の端部３２が下方に折り曲げられており、この端部３２と板状のフロント部材３６との間に間隙が設けられており、この間隙の間隔を幅方向に均一に保つための筒状のスペーサー３５が３個設けられており、スリット３４を形成している。このスリットによって、図７および図８に示すようにドレンは上板３１の幅方向全体にわたり矢印Ａの方向に流れることになり、上板３１から速やかにドレンが排出されるのである。なお、上板３１にスリットが設けられた場合と後述の開口が設けられた場合とを比較すると、スリットが設けられた場合にはドレンや塵埃が確実に排出される点で優れている。
【００２２】
また、前記開口３４’の形態としては上板３１の空気流入側に幅方向にわたり複数個設けられた穴であり、その穴を通してドレンが下方に流れ落ちる機能を有する限り特に限定されない。また、空気流出側にも開口を設けることも可能であるが、開口部分の合計面積が大きくなり過ぎると流入した空気がこの開口部分を通して多量に流れてしまい熱交換が不十分となる場合がある。したがって、開口は空気流入側のみに配置されていることが好ましい。図９および図１０に例示する開口の具体例では、上板３１の空気流入側に円形の穴が幅方向にわたり４列に複数個設けられている。この開口によって、図９および図１０に示すようにドレンは上板３１の幅方向全体にわたり矢印Ａの方向に流れることになり、上板３１から速やかにドレンが排出されるのである。なお、上板３１に開口が設けられた場合と前述のスリットが設けられた場合とを比較すると、開口が設けられた場合には上板の構造がシンプルになる点で優れている。
【００２３】
前記スリット３４または該開口３４’の下方にはドレン案内部材３３が設けられており、このドレン案内部材３３は横方向に配置されている。前記ドレン案内部材３３の形態はスリット３４または該開口３４’の下方に設けられており、上板３１から流れ落ちるドレンを受け止め、このドレンを横方向（熱交換ユニットの幅方向）に流せるように、横方向（熱交換ユニットの幅方向）に渡って配置されている限り特に限定されない。図４、および図７〜図１０に例示するドレン案内部材の具体例では、ドレン案内部材が板状であり且つ横方向に傾斜して配置されている。すなわち、右側が高く左側が低くなるように傾斜して配置されているので、図７〜図１０に示すようにドレンは、ドレン案内部材３３の上を矢印Ｂの方向に流れることになり、ドレン案内部材３３の左端まで達して、その後矢印Ｃの方向に流れ落ち、さらに下側熱交換器の側面２２ａに沿って下方に流れ落ちるのである。この例では、ドレン案内部材３３は板状のフロント部材３６に取り付けられており、またシンプルな構造の板状であるが、樋のような形状であることも、断面コの字形状であることも可能である。また、横方向に傾斜して配置されていないことも可能であるが、横方向に傾斜して配置されることにより、より速やかにドレンを排出できる。
【００２４】
なお、図４、および図７〜図１０に例示するように、前記上側ドレンパン３０が、上側熱交換器２１の前面と下側熱交換器２２の前面との間の間隙を塞ぐように配置された、板状のフロント部材３６を備えていることが好ましい。このフロント部材３６によって、流入した空気がこの間隙を通して多量に流れてしまい熱交換が不十分となる現象を防止することができる。
【００２５】
本発明の熱交換ユニット１０は、前述の上側ドレンパンの構造を有しているので、上側ドレンパン３０に溜まるドレンを速やかに流すことができる。したがって、上側熱交換器が大きな容量を持つ場合であっても、また後述するように上側熱交換器が２台設けられても、上側ドレンパン３０に溜まるドレンを速やかに流すことができるのである。また、このような、上側ドレンパンの構造を有しているので、空気中に含まれる塵埃が上側ドレンパン上に堆積してドレンが流れ難くなることもなく、メンテナンス性に優れた熱交換ユニットを提供することが可能となる。
【００２６】
本発明の熱交換ユニット１０は、図４に例示するように上側熱交換器２１、２１’および下側熱交換器２２、２２’が前後２列に並んで設けられることも可能である。このように熱交換器を前後２列に並んで設けることによって、熱交換器の能力を大きく向上させることができる。また、前後２列に並ぶことによってドレンの量が大きく増加することが予想されるが、本発明では前記上側ドレンパン３０の構造を有しているため、ドレンの量が大きく増加してもドレンを速やかに排出することができるのである。また、上側熱交換器２１、２１’および下側熱交換器２２、２２’が前後２列に並んで設けられた場合、例えば前の熱交換器（空気流入側の熱交換器）２１、２２を冷房用として用い、後ろの熱交換器（空気流出側の熱交換器）２１’、２２’を暖房用として用いることにより、冷暖の切り替えを素早く行なうことができるという利点がある。例えば、病院においては夏でも暖房が必要な場合があり、また冬でも冷房が必要な場合があり、このような場合に好適な構造といえる。
【００２７】
また、熱交換器を前後２列に並んで設ける場合の他の好適な応用例を挙げると、例えば前の熱交換器２１、２２を冷房用として用い、それと同時に後ろの熱交換器２１’、２２’を暖房用として用いることにより、前の熱交換器２１、２２により室内の空気を一旦冷却して除湿した後に、後ろの熱交換器２１’、２２’によって元の室温に回復させるという機能をもたせることができる。このように、除湿機として用いることが可能になるという利点がある。図６に、上側熱交換器２１、２１’および下側熱交換器２２、２２’が前後２列に並んで設けられる場合の各熱交換器に接続される温水用または冷水用の配管１８を例示する。
【００２８】
本発明の熱交換ユニット１０は、図５、および図７〜図１０に例示するように、前記上側熱交換器２１、２１’および前記下側熱交換器２２、２２’の１つ以上又は全部が冷房用の熱交換器である場合は、その冷房用の熱交換器の下に配置される上側ドレンパン３０および／または下側ドレンパン４０に、ドレンの流れを止めるための仕切り壁３７、３８が、冷房用の熱交換器の空気流出側に位置するようにして設けられていることが好ましい。この仕切り壁３７、３８が設けられることによって、冷房用の熱交換器から発生したドレンがドレンパン上に溜まった後に吸込み空気によって冷房用の熱交換器の後ろ側に吹き飛ばされることを防止することができる。
【００２９】
前記仕切り壁の好ましい具体例としては、例えば図５に示す形態がある。図５では上側ドレンパン３０の中央部に仕切り壁３７が、冷房用の上側熱交換器２１の空気流出側に位置するようにして設けられている。また、下側ドレンパン４０の上部に、下側ドレンパン４０の構成部材としての上板４１が設けられている。そして、この上板４１の中央部に仕切り壁３８が、冷房用の下側熱交換器２２の空気流出側に位置するようにして設けられている。このように、上側熱交換器２１、２１’および下側熱交換器２２、２２’が前後２列に設けられており、前の熱交換器（空気流入側の熱交換器）２１、２２を冷房用として、後ろの熱交換器（空気流出側の熱交換器）２１’、２２’を暖房用として用いる場合、冷房用の熱交換器２１、２２の下に配置されるドレンパン３０、４０に、仕切り壁３７、３８を冷房用の熱交換器の空気流出側に位置するようにして設けることが好ましい。なお、図５の形態において、上板４１を用いずに、下側ドレンパン４０の上に、仕切り壁３８を直接設けることも可能である。
【００３０】
本発明の熱交換ユニット１０の好適な仕様としては、図１〜図６に示す形態の場合、風量が１０〜５０ｍ３／分であり、外形寸法は幅が５５０〜１５００ｍｍ、奥行きが３５０〜８００ｍｍ、高さが４００〜９１０ｍｍである。また、冷房能力については、２列の冷水コイルを使用した場合には１．９〜７．２ｋＷ、４列の冷水コイルを使用した場合には３．１〜１１ｋＷである。また、暖房能力については、２列の温水コイルを使用した場合には２．９〜１０ｋＷである。また、冷水量については、２列の冷水コイルを使用した場合には５〜２１Ｌ／分、４列の冷水コイルを使用した場合には９〜３３Ｌ／分である。また、温水量については、２列の温水コイルを使用した場合には５〜２１Ｌ／分である。
【００３１】
また、より好ましい仕様としては、風量が１５〜３０ｍ３／分であり、外形寸法は幅が８００〜１０００ｍｍ、奥行きが４００〜６００ｍｍ、高さが５００〜７００ｍｍである。また、冷房能力については、２列の冷水コイルを使用した場合には２．３〜４．８ｋＷ、４列の冷水コイルを使用した場合には３．２〜７．２ｋＷである。また、暖房能力については、２列の温水コイルを使用した場合には３．０〜６．７ｋＷである。また、冷水量については、２列の冷水コイルを使用した場合には８〜１４Ｌ／分、４列の冷水コイルを使用した場合には１４〜２２Ｌ／分である。また、温水量については、２列の温水コイルを使用した場合には８〜１４Ｌ／分である。
【図面の簡単な説明】
【００３２】
【図１】本発明の熱交換ユニット及びその熱交換ユニットを備えた空調装置の一例を示す斜視図である。
【図２】図１の側面図である。
【図３】本発明の熱交換ユニット及びその熱交換ユニットを備えた空調装置の別例を示す図であり、（ａ）は平面図、（ｂ）は正面図である。
【図４】本発明の熱交換ユニットの一例の斜視図である。
【図５】本発明の熱交換ユニットの別例の斜視図である。
【図６】本発明の熱交換ユニットの一例の斜視図である。
【図７】本発明の熱交換ユニットの一例の斜視図（説明のため一部の部品を削除）である。
【図８】本発明の熱交換ユニットの一例の要部斜視図である。
【図９】本発明の熱交換ユニットの別例の斜視図（説明のため一部の部品を削除）である。
【図１０】本発明の熱交換ユニットの別例の要部斜視図である。
【図１１】従来の空気調和装置の斜視図である。
【符号の説明】
【００３３】
１０  熱交換ユニット
１１  本体ケース
１２  送風機
１３  空気調和装置
１４  底部ドレンパン
１５  ドレン配管
１６  ドレン排出孔
１７  吸込みグリル
１８  温水用または冷水用の配管
２１，２１’  上側熱交換器
２２，２２’  下側熱交換器
２２ａ  下側熱交換器の側面
３０  上側ドレンパン
３１  上板
３２  空気流入側の端部
３３  ドレン案内部材
３４  スリット
３４’  開口
３５  スペーサー
３６  フロント部材
３７  仕切り壁
３８  仕切り壁
４０  下側ドレンパン
４１  上板
４１ａ  上板の折り曲げ端部
４２  ドレン排出口
１０１  壁
１０２  ダクト
１０３  フィルタ
１０４  送風機
２１０  熱交換器
２１２  下側ドレンパン
２１７  上側熱交換器
２１８  下側熱交換器
２１９  上側ドレンパン
２２０  案内部材
【図１】
2008111616.tif 000003
【図２】
2008111616.tif 000004
【図３】
2008111616.tif 000005
【図４】
2008111616.tif 000006
【図５】
2008111616.tif 000007
【図６】
2008111616.tif 000008
【図７】
2008111616.tif 000009
【図８】
2008111616.tif 000010
【図９】
2008111616.tif 000011
【図１０】
2008111616.tif 000012
【図１１】
2008111616.tif 000013